(57)【要約】【課題】  設置が容易で複数のシートを敷設する場合でもシートどうしの張り度合を安定させ得るシート構造物の提供。【解決手段】  シートと、該シートを固定部に取付けるための取付手段とを備え、該取付手段は、前記固定部に着脱自在な杆状体と、一端側が該杆状体に係止され他端側がシートの端辺に係止されたコイルバネとを備えたシート構造物の構成。【選択図】  図１
2010112001.tif 000002
【特許請求の範囲】
【請求項１】
シートと、該シートを固定部に取付けるための取付手段とを備え、
該取付手段は、前記固定部に着脱自在な杆状体と、一端側が該杆状体に係止され他端側がシートの端辺に係止されたコイルバネと、を備えたことを特徴とするシート構造物。
【請求項２】
固定部に杆状体を着脱可能とする連結具を備えたことを特徴とする請求項１記載のシート構造物。
【請求項３】
コイルバネは三個以上の複数設けられ、杆状体の長手方向外側に配置したコイルバネの弾性率が、杆状体の長手方向内側に配置したコイルバネの弾性率に比べて低く設定されたことを特徴とする請求項１または請求項２記載のシート構造物。
【請求項４】
コイルバネの弾性率がシートの弾性率に比べて低く設定されたことを特徴とする請求項１ないし請求項３の何れかに記載のシート構造物。
【請求項５】
取付手段はシートの一端辺側および他辺側の双方に設けられていることを特徴とする請求項１ないし請求項４の何れかに記載のシート構造物。
【発明の詳細な説明】
【技術分野】
【０００１】
本発明は、建屋の屋根などに設置して遮熱や遮光をするためのシート構造物に関する。
【背景技術】
【０００２】
建屋の屋根などに設置して遮熱や遮光をするシート構造物として、下記特許文献１に開示された技術がある。これは、シートと、シートを屋根などの設置部から距離をあけて張るよう設置するための設置手段とを有する。この種のシート構造部に用いられる、遮熱性や遮光性を有するシートについては種々提案されている。
【０００３】
また、下記特許文献１に示すシート構造物は、シートを止める手段として、シート受け部材とスプリングとを備えている。シート受け部材はその延在方向に垂直な断面が凹状の条材であり、屋根に固定される底面に対して両側面が内側に傾斜して形成されている。なお、シート受け部材は、屋根に固定される固定部を有する。
この構成において、シートの端部近傍をシート受け部材の凹部に入り込ませた状態でシートの上から凹部内にスプリングを挿入し、スプリングの幅方向の弾性力によってシートを凹部の内壁面に押しつけることで固定する。
【特許文献１】実用新案登録第３１４１９７３号公報
【発明の開示】
【発明が解決しようとする課題】
【０００４】
上記従来のシート構造物において、シートをシート受け部材の凹部に固定する際には、一旦スプリングを縮め、この状態を維持してスプリングを凹部に挿入する必要がある。このような作業はやりにくく、熟練を要する。
また、屋根等に複数のシートを敷設する場合では、各シートに同様な張力を付与することは難しく、シートどうしに張り度合の違いが発生してしまう。
【０００５】
そこで本発明は、設置が容易で複数のシートを敷設する場合でもシートどうしの張り度合を安定させ得るシート構造物の提供を目的とする。
【課題を解決するための手段】
【０００６】
本発明は、シートと、該シートを固定部に取付けるための取付手段とを備え、該取付手段は、前記固定部に着脱自在な杆状体と、一端側が該杆状体に係止され他端側がシートの端辺に係止されたコイルバネと、を備えたことを特徴としている。
【０００７】
上記構成において、シートは遮熱性や遮光性を有するものが好ましく、このようなシートを屋根等に設置する場合、屋根等の被設置部に固定された固定部に、杆状体を沿わせるようにして取付けることでシートを設置し、シートが不要な場合は杆状体を固定部から取外す。
【０００８】
本発明のシート構造物は、固定部に杆状体を着脱可能とする連結具を備えたことを特徴としている。
上記構成において、連結具を介して固定部に杆状体を着脱することで、シートの設置、取除きを行う。
【０００９】
本発明のシート構造物では、コイルバネは三個以上の複数設けられ、杆状体の長手方向外側に配置したコイルバネの弾性率が、杆状体の長手方向内側に配置したコイルバネの弾性率に比べて低く設定されたことを特徴としている。
【００１０】
上記構成において、長手方向外側に配置したコイルバネおよび長手方向内側に配置したコイルバネが同じ引張力を受けた場合には、長手方向外側に配置したコイルバネの伸張量が長手方向内側に配置したコイルバネの伸張量が大きい。このため、シートの全面に等しい風荷重（風圧）が働くと、シートにおいて、杆状体の長手方向外側端部の変位量が、長手方向内側の変位量に比べて大きくなって、シートに当たる風が、シートにおける杆状体の長手方向外側端部側に受け流される。
【００１１】
本発明のシート構造物では、コイルバネの弾性率がシートの弾性率に比べて低く設定されたことを特徴としている。
上記構成において、シートに風力等が働いた場合には、コイルバネの伸張量がシートの伸張量に比べて大きいから、シートに働く風荷重が、コイルバネが伸張することで吸収され易くなる。
【００１２】
本発明のシート構造物では、取付手段はシートの一端辺側および他辺側の双方に設けられていることを特徴としている。
上記構成において、シートを屋根等の被設置部に設置するには、一方の固定部に取付手段によってシートの一端辺側を支持させた状態で他方の固定部に、取付手段によってシートの他端辺側を支持する。あるいは、シートの一端辺側および他端辺側を同時に固定部に支持する。
【発明の効果】
【００１３】
本発明のシート構造物は、シートを固定部に取付けるための取付手段が、固定部に着脱自在な杆状体と、一端側が杆状体に係止され他端側がシートの端辺に係止されたコイルバネとを備えているから、屋根等の被設置部に固定された固定部に杆状体を沿わせるようにすることで、熟練を要することなく極めて容易にシートを設置することができ、シートが不要な場合は杆状体を固定部から取外すことで、極めて容易にシートを取外すことができる。
本発明のシート構造物は、被設置部にシートを複数並べて敷設する場合でも、固定部に杆状体を沿わせるようにして各シートを敷設すればよいから、作業者がシートの張り度合を調整する必要がなく、シート毎の張り度合に相違を生じにくくすることができる。
【発明を実施するための最良の形態】
【００１４】
以下、本発明のシート構造物の実施形態を図面に基づいて説明する。
図１は本発明の実施形態を示すシート構造物の使用状体を示す斜視図、図２は要部の側面図、図３は同じく平面図、図４ないし図６はシートどうしの連結状態を示す図、図７は取付杆部材に対するシートの取付状態を示す概念図、図８ないし図１０は連結具の構成を示す説明図である。
【００１５】
これらの図に示すように、シート構造物１は、屋根等の被設置部２を所定の高さＨ分だけ浮かせて覆うシート３と、このシート３を固定部４に取付けるための取付手段５とを備えている。シート構造物１は被設置部２の面積に応じてその個数が設定される。
【００１６】
先ず、被設置部２に固定される固定部４の基本構造を説明する。これは、前後方向Ｆｒに一対で設けられ、各固定部４は合成樹脂製の杆状部材を組合せた構造体からなる。すなわち、各固定部４はシート３の幅方向（被設置部２の幅方向でもある）Ｄに沿う方向の長尺の杆状体である複数本の支持杆部材６，７，８と、これら支持杆部材６，７，８の長手方向各端部を挿込んで固定する支持台部材１０から構成されている。
支持杆部材６，７，８は三本で一組とされ、各支持杆部材６，７，８はそれぞれ長手方向同一断面に形成されている。その断面形状は、中抜き形状断面であってもよいし充実断面であってもよい。また、固定部４を構成する杆状部材は、合成樹脂を被覆した鋼管であってもよい。
【００１７】
図１では、各固定部４において支持台部材１０は、幅方向Ｄに一対で設けられ、支持杆部材６，７，８の幅方向各端部側に配置され、支持杆部材６，７，８をその長手方向（幅方向）両端部で支持している。
図２に示すように、各支持台部材１０は、三本の杆状の組立部材１１，１２，１３を縦方向の同一平面内に配置させて三角形状に形成されている。なお、この場合、三角形状が直角三角形となるよう、組立部材１１，１２，１３を連結している。
【００１８】
各支持台部材１０の各頂点部分には、隣合う支持台部材１０側に向けて対向するよう側方に突出する継手１４，１５，１６が設けられている。
支持台部材１０の各頂点部にはヒンジ部１７，１８，１９が設けられて、組立部材１１，１２，１３の長さ方向端部どうしがヒンジ部１７，１８，１９によって回動自在に連結されている。
なお、三角形状の底辺に相当する組立部材１２の長手方向に、組立部材１１，１２，１３とは別に、転倒防止杆部材２０が、支持台部材１０の底部から前後方向Ｆｒで対向する支持台部材１０に向けて延長するよう設けられている。
各支持台部材１０は図示しない係止手段（符号省略）によって組立部材１１，１２，１３による三角形状を保持できるよう構成されているとともに、係止手段を解除することで折畳み自在に構成されている。
【００１９】
前記支持杆部材６，７，８は、それぞれ支持台部材１０の各頂点部付近に継手１４，１５，１６を介して幅方向Ｄに沿うよう取付けられる。なお、幅方向Ｄとは、被設置部２が平屋根に設置する場合であれば水平方向に相当し、前後方向Ｆｒに直交する方向である。
支持杆部材６，７，８は、その端部が支持台部材１０に継手１４，１５，１６を介して取付けられた状態で、二本（支持杆部材７，８）が被設置部２側にその平面方向（前後方向Ｆｒ）に離間して配置されている。支持杆部材６，７，８のうち一本（支持杆部材６）は被設置部２から所定高さＨ、すなわちほぼ支持台部材１０の高さ分に対応する距離だけ離れて配置されている。
被設置部２側（下側）の二本の支持杆部材７，８が、被設置部２（屋根）の上面に適宜の固定手段９を介して固定されることで、固定部４全体が被設置部２に固定される。この固定手段９は、二本の支持杆部材７，８を被設置部２の上面に容易に着脱できる構成のもの（例えば重石やハゼ取付金具等）が好ましい。
【００２０】
次にシート構造物１を説明する。図１，図２には、一例として、前後一対の固定部４に対して、同幅、同長さのシート３を幅方向Ｄに二枚並べて配置して、それぞれのシート３を、取付手段５を介して各固定部４に支持させたシート構造物１の形態を描いている。なお、シート３の枚数、固定部４の個数は被設置部２の面積に応じて適宜対応可能である。
【００２１】
シート３は遮熱性・遮光性に富んだ材質で成形されたメッシュであり、所定の弾性率（伸縮性）を有する。シート３はこのような構成であれば、特に材質を限定するものではない。
シート３は、その外辺部（端辺）に補強生地３５が施されている。この構成により、シート３に局部的に応力が生じにくいように構成されている。
シート３において、幅方向に直交する方向の端部（前後端部）の補強生地に、シート３一枚につき三個以上のハトメ２１が取付けられている。
【００２２】
図１，図７に示すように、各ハトメ２１には、引張バネとしてのコイルバネ２３，２４の一端側のフック２３ａ，２４ａが係止されている。すなわちコイルバネ２３，２４はハトメ２１と同数設けられている。コイルバネ２３，２４の他端側のフック２３ｂ，２４ｂは、取付杆部材２５に係止されている。
図１，４，５，６に示すように、ハトメ２２はシート３において、幅方向Ｄに直交する方向の辺部、すなわち前後方向Ｆｒに沿う左右辺部にも設けられている。このハトメ２２は、隣合うシート３どうしが離れあわないように索体３６を結びつける部分として用いられている。
【００２３】
取付杆部材２５は、支持杆部材６，７，８とほぼ同一の長さに設定されている。取付杆部材２５は長手方向が同一断面に形成されている。その断面形状は、中抜き形状断面であってもよいし充実断面であってもよい。
取付杆部材２５は固定部４の支持杆部材６，７，８のうちの一本である、上位の支持杆部材６に連結具２６（連結金具）を介して添えられて、支持杆部材６に着脱自在に設けられている。この連結具２６は取付杆部材２５の長手方向に複数箇所設けられている。連結具２６として、杆状部材どうしを着脱自在に固定し得るものが用いられる。
【００２４】
また、この連結具２６は、シート３の幅方向外側（取付杆部材２５の長手方向外側）に配置したコイルバネ２４がさらに外側に移動しないよう、取付杆部材２５に位置決めする機能を有している。
すなわち、ハトメ２１，２２を取付けたシート３と、コイルバネ２３，２４とからシート体２７が構成され、取付杆部材２５と連結具２６とから取付手段５が構成されている。
【００２５】
ここで図８〜図１０に基づいて、連結具２６の構成を説明する。連結具２６は、片側を開放した保持枠部材４０と、保持枠部材４０に横軸４１回りに回動可能な回動枠部材４３と、操作片４４を有するとともに保持枠部材４０に別の横軸４５を介して回動可能なロック体４５とを有する。
すなわち、保持枠部材４０に横軸４１回りに回動枠部材４３を回動させて、保持枠部材４０と回動枠部材４３とで支持杆部材６および取付杆部材２５を挟み込んで、この状態でロック体４５を保持枠部材４０に対して別の横軸４６回りに一方向に回動させて、ロック体４５の先端部を回動枠部材４３側に設けた係止部４７に係止し、ロック体４５を別の横軸４６回りに他方向に回動させることで、支持杆部材６および取付杆部材２５を、保持枠部材４０と回動枠部材４３とで挟んで保持する（支持杆部材６に対して取付杆部材２５が離れない）よう構成されている。
支持杆部材６に対して取付杆部材２５を取外す際には、上記と逆の操作を行う。
【００２６】
コイルバネ２３，２４において、シート３の幅方向外側に配置したコイルバネ２４の弾性率が、シート３の幅方向内側のコイルバネ２３の弾性率に比べて低く設定されている。
具体的にこの実施形態では、シート３の一辺側および他辺側それぞれに五本のコイルバネ２３，２４が設けられており、幅方向外側の二本のコイルバネ２４の弾性率が幅方向内側のコイルバネ２３の弾性率に比べて低く設定されている。幅方向外側の二本のコイルバネ２４の弾性率はそれぞれ等しく、幅方向内側の三本のコイルバネ２３の弾性率はそれぞれ等しく設定されている。換言すれば、同じ荷重を負荷させた際に、幅方向外側のコイルバネ２４は幅方向内側のコイルバネ２３に比べて伸び易い（伸張量が大きい）。
なお、幅方向外側から幅方向外側に隣合うコイルバネほど弾性率を順次低くなるよう設定することも好ましい。
この実施形態において幅方向外側と幅方向内側のコイルバネの弾性率を変えるために、幅方向外側のコイルバネ２４を形成する線材の径を、幅方向内側のコイルバネ２３を形成する線材の径よりも細くしている。しかしながら、例えば幅方向外側のコイルバネ２４と幅方向内側のコイルバネ２３とで線材の巻径を変えたり、単位長さ当りの巻数を変えたりすることで、コイルバネ２３とコイルバネ２４の弾性率を変えることも可能である。
【００２７】
また、コイルバネ２３，２４の弾性率はシート３の弾性率に比べて低く設定されている。すなわち弾性率として、コイルバネ２４＜コイルバネ２３＜シート３の関係となっている。
【００２８】
図１において、符号３０は、シート３のたるみを抑制するためのたるみ抑制枠体である。これは杆状部材の組合せから構成された枠体３１と、枠体３１の転倒を防止する脚杆部材３２から構成されている。枠体３１は杆状部材の組合わせから構成されており、脚杆部材３２は枠体３１を立設した状態を保持すべく、枠体３１の下部に前後方向Ｆｒに延長されている。
【００２９】
上記構成において、シート構造物１を屋根等の被設置部２に設置するには、作業者は被設置部２のうちシート３で覆う領域を予め設定しておき、その領域に対応する位置に固定部４を前後方向Ｆｒに対になるよう設置しておく。
【００３０】
作業者は、被設置部２に設置した固定部４の配列にみあうだけの数のシート構造物１を準備する。そして、前側の固定部４および後側の固定部４のそれぞれに対して、シート構造物１の取付杆部材２５を、連結具２６を介して取付ける。このとき、取付杆部材２５を支持杆部材６に沿わせるようにし連結具２６によって取付杆部材２５を支持杆部材６に固定する。
【００３１】
そして、シート３の前後方向Ｆｒの長さを、前後の固定部４どうしの距離に対応するよう設定しておけば、取付杆部材２５を支持杆部材６に取付けるだけで、シート３を適宜の張力で張ることができる。また、たるみ抑制枠体３０をシート３の前後方向Ｆｒ途中に設置することで、シート３のたるみを抑制して、風によるシート３のばたつきを抑制することができる。
【００３２】
上記のように、固定部４にシート構造物１を取付けるには、取付杆部材２５を支持杆部材６に沿わせるようにし連結具２６によって取付杆部材２５を支持杆部材６に固定するといった、極めて容易な作業で行うことができ、しかも予め固定部４の離間距離に応じた前後方向長さにシート３を設定しておくことで、シート３を所望の張り度合とすることができる。
【００３３】
ところで、シート構造物１では、シート３と取付手段５の取付杆部材２５をコイルバネ２３，２４によって連結し、シート３の幅方向外側に配置したコイルバネ２４の弾性率を、シート３の幅方向内側のコイルバネ２３の弾性率に比べて低く設定している。また、コイルバネ２３，２４の弾性率を、シート３の弾性率に比べて低く設定している。
【００３４】
このような構成のシート構造物１を被設置部２に設置した状態でシート３が風を受けると、コイルバネ２４の弾性率をコイルバネ２３の弾性率に比べて低く設定しているから、シート３において幅方向内側よりも幅方向外側の方がたるむ量が多くなる。このため、風がシート３の幅方向外側の方へ流れ易く（案内され易く）なる。よってシート３に大きな負担がかからず、コイルバネ２３，２４の脱落を防止することができる。
なお、シート３に当った風がシート３の幅方向外側から抜けるときに、コイルバネ２３を中心軸にしてシート３の長さ方向端部が捩れて幅方向外側のコイルバネ２４に負荷がかかる状態になる。したがって、シート３が不要に捩れないようにするためには、幅方向内側のコイルバネ２３は一個ではなく、複数個設けてこれらのコイルバネ２３によってシート３の過大な捩れを抑制することが好ましい。
【００３５】
降雨があって雨水がシート３上に溜まった場合にも同様で、雨水そのものの重量によってコイルバネ２４が伸び、シート３の幅方向外側がたるんでシート３上から雨水が落下する。
このように、シート３の幅方向外側に配置したコイルバネ２４の弾性率を、シート３の幅方向内側のコイルバネ２３の弾性率に比べて低く設定したことにより、風雨に対して、コイルバネ２３，２４とシート３とで柔軟に対応してシート３やコイルバネ２３，２４、固定部４を安定させることができる。
【００３６】
上記構成のシート構造物１では、連結具２６がシート３の幅方向外側に配置したコイルバネ２４が外側に移動しないよう位置決めしているから、シート３が幅方向Ｄに移動するのを防止して、シート３の間の距離を確実に保持することができる。
しかも、シート３どうしに設けたハトメ２２に索体３６を結びつけ、この索体３６の長さを調節することにより、図６に示すようにシート３（特にシート３の幅方向外側部分）の傾斜量を制限することができる。これによって、コイルバネ２３，２４のフック２３ａ，２４ａ，２３ｂ，２４ｂに過大な負荷が掛かるのを防止して（フック２３ａ，２４ａ，２３ｂ，２４ｂが伸びてしまうのを防止して）、コイルバネ２３，２４がシート３あるいは取付杆部材２５から外れるのを防止することができる。
また、シート３に対しては、過大な捻れ力等が生ずるのが抑制され、シート３に折目が生じることによる変形やそれに伴う亀裂の発生等による劣化を抑制することができる。
【００３７】
シート構造物１は連結具２６を取外すことで、容易に且つ短時間で被設置部２から撤去することができる。そして、シート構造物１であるシート３、コイルバネ２３，２４、取付杆部材２５、を一体物として扱うことが可能で、シート３を巻回するなどすればコンパクトにまとめられて収納スペースも少なくてすむ。
【００３８】
図１では固定部４を前後一対で設けた例を示しているが、シート３で覆う領域が大きければ、前側の固定部４および後側の固定部４を、それぞれ幅方向Ｄに複数並べて設置する場合も考えられる。あるいは、前側の固定部４および後側の固定部４を、それぞれ幅方向Ｄおよび前後方向Ｆｒに並べて、前側の固定部４および後側の固定部４にシート構造物１をそれぞれ設置することも可能である。
【００３９】
上記実施形態では、各支持台部材１０を、三本の杆状の組立部材１１，１２，１３によって縦方向の同一平面内の直角三角形状となるよう連結した。しかしながら、支持台部材１０は直角三角形状に限定されるものではなく、正三角形としてもよい。また、四本あるいはそれ以上の本数の組立部材を用いて四角形以上の多角形となるよう構成することも可能である。
特に、支持台部材１０を三角形とする場合、支持杆部材７，８の設置位置と、シート３の長さとの関係に応じて、支持杆部材６の水平方向の配置位置が、支持杆部材７，８との間に配置されずに、三角形の三角形状の下方の内角のひとつが９０°を超えるようになされてもよい。
【図面の簡単な説明】
【００４０】
【図１】本発明の実施形態を示すシート構造物の使用状体を示す斜視図
【図２】同じく要部の側面図
【図３】同じく要部平面図
【図４】同じくシートどうしの連結状態を示す図で、一部拡大平面図
【図５】同じくシートがたるんでいない状態の一部拡大断面図
【図６】同じくシートがたるんだ状態の一部拡大断面図
【図７】同じく取付杆部材に対するシートの取付状態を示す平面概念図
【図８】同じく連結具の構成を示す説明図で、保持枠部材に対する回動枠部材、ロック体の動きを示す側面図
【図９】同じく連結具の単体平面図
【図１０】同じく連結具の単体底面図
【符号の説明】
【００４１】
１…シート構造物、２…被設置部、３…シート、４…固定部、５…取付手段、６，７，８…支持杆部材、９…固定手段、１０…支持台部材、１１，１２，１３…組立部材、２３，２４…コイルバネ、２５…取付杆部材、２６…連結具、２７シート体
【図１】
2010112001.tif 000003
【図２】
2010112001.tif 000004
【図３】
2010112001.tif 000005
【図４】
2010112001.tif 000006
【図５】
2010112001.tif 000007
【図６】
2010112001.tif 000008
【図７】
2010112001.tif 000009
【図８】
2010112001.tif 000010
【図９】
2010112001.tif 000011
【図１０】
2010112001.tif 000012